(57)【特許請求の範囲】
【請求項１】
ネットワークにおいて通信するための方法であって、
前記ネットワークのサブフレームで、物理ダウンリンク制御チャネル（ＰＤＣＣＨ）を受信することと、
前記受信されたＰＤＣＣＨのブロック誤り率（ＢＬＥＲ）を判定することと、
前記受信されたＰＤＣＣＨの復号の困難さを、仮説のＰＤＣＣＨの復号の困難さと比較すること、ここで、前記受信されたＰＤＣＣＨおよび前記仮説のＰＤＣＣＨの前記復号の困難さは、前記受信されたＰＤＣＣＨおよび前記仮説のＰＤＣＣＨのパラメータに基づいて判定される、
前記受信されたＰＤＣＣＨおよび前記仮説のＰＤＣＣＨの前記復号の困難さの違いを識別することと、
前記受信されたＰＤＣＣＨの前記判定されたＢＬＥＲと、前記受信されたＰＤＣＣＨおよび前記仮説のＰＤＣＣＨの前記復号の困難さの違いと、に基づいて、前記仮説のＰＤＣＣＨのＢＬＥＲを判定することと、
ラジオ・リンク・モニタリング（ＲＬＭ）のために、前記仮説のＰＤＣＣＨの前記判定されたＢＬＥＲから、ラジオ・リンク品質を推定することと、を備える方法。
【請求項２】
無線通信のための装置であって、
ネットワークのサブフレームで物理ダウンリンク制御チャネル（ＰＤＣＣＨ）情報を受信する手段と、
前記受信されたＰＤＣＣＨのブロック誤り率（ＢＬＥＲ）を判定する手段と、
前記受信されたＰＤＣＣＨの復号の困難さを、仮説のＰＤＣＣＨの復号の困難さと比較する手段と、ここで、前記受信されたＰＤＣＣＨおよび前記仮説のＰＤＣＣＨの前記復号の困難さは、前記受信されたＰＤＣＣＨおよび前記仮説のＰＤＣＣＨのパラメータに基づいて判定される、
前記受信されたＰＤＣＣＨおよび前記仮説のＰＤＣＣＨの前記復号の困難さの違いを識別する手段と、
前記受信されたＰＤＣＣＨの前記判定されたＢＬＥＲと、前記受信されたＰＤＣＣＨおよび前記仮説のＰＤＣＣＨの前記復号の困難さの違いと、に基づいて、前記仮説のＰＤＣＣＨのＢＬＥＲを判定する手段と、
ラジオ・リンク・モニタリング（ＲＬＭ）のために、前記仮説のＰＤＣＣＨの前記判定されたＢＬＥＲから、ラジオ・リンク品質を推定する手段と、を備える装置。
【請求項３】
記録されたプログラム・コードを有する非一時的なコンピュータ読取可能な記録媒体であって、前記プログラム・コードは、
ネットワークのサブフレームで物理ダウンリンク制御チャネル（ＰＤＣＣＨ）を受信するためのプログラム・コードと、
前記受信されたＰＤＣＣＨのブロック誤り率（ＢＬＥＲ）を判定するためのプログラム・コードと、
前記受信されたＰＤＣＣＨの復号の困難さを、仮説のＰＤＣＣＨの復号の困難さと比較するためのプログラム・コードと、ここで、前記受信されたＰＤＣＣＨおよび前記仮説のＰＤＣＣＨの前記復号の困難さは、前記受信されたＰＤＣＣＨおよび前記仮説のＰＤＣＣＨのパラメータに基づいて判定される、
前記受信されたＰＤＣＣＨおよび前記仮説のＰＤＣＣＨの前記復号の困難さの違いを識別するためのプログラム・コードと、
前記受信されたＰＤＣＣＨの前記判定されたＢＬＥＲと、前記受信されたＰＤＣＣＨおよび前記仮説のＰＤＣＣＨの前記復号の困難さの違いと、に基づいて、前記仮説のＰＤＣＣＨのＢＬＥＲを判定するためのプログラム・コードと、
ラジオ・リンク・モニタリング（ＲＬＭ）のために、前記仮説のＰＤＣＣＨの前記判定されたＢＬＥＲから、ラジオ・リンク品質を推定するためのプログラム・コードと、を備える、非一時的なコンピュータ読取可能な記録媒体。
【請求項４】
無線通信のための装置であって、
メモリと、
命令群を記憶している前記メモリに接続された、少なくとも１つのプロセッサとを備え、前記命令群は、前記プロセッサによって、
ネットワークのサブフレームで、物理ダウンリンク制御チャネル（ＰＤＣＣＨ）を受信し、
前記受信されたＰＤＣＣＨのブロック誤り率（ＢＬＥＲ）を判定し、
前記受信されたＰＤＣＣＨの復号の困難さを、仮説のＰＤＣＣＨの復号の困難さと比較し、ここで、前記受信されたＰＤＣＣＨおよび前記仮説のＰＤＣＣＨの前記復号の困難さは、前記受信されたＰＤＣＣＨおよび前記仮説のＰＤＣＣＨのパラメータに基づいて判定される、
前記受信されたＰＤＣＣＨおよび前記仮説のＰＤＣＣＨの前記復号の困難さの違いを識別し、
前記受信されたＰＤＣＣＨの前記判定されたＢＬＥＲと、前記受信されたＰＤＣＣＨおよび前記仮説のＰＤＣＣＨの前記復号の困難さの違いと、に基づいて、前記仮説のＰＤＣＣＨのＢＬＥＲを判定し、
ラジオ・リンク・モニタリング（ＲＬＭ）のために、前記仮説のＰＤＣＣＨの前記判定されたＢＬＥＲから、ラジオ・リンク品質を推定するように実行可能である、装置。
【請求項５】
前記パラメータは、ＤＣＩフォーマット、アグリゲーション・レベル、リソース要素（ＲＥ）エネルギ比、または、これらの組み合わせのうちの１つ以上を備える、請求項１記載の方法。
【請求項６】
前記受信されたＰＤＣＣＨを伝送する信号を調整して、前記復号の困難さの違いを補償することをさらに備える、請求項１記載の方法。
【請求項７】
前記調整された信号中のＰＤＣＣＨが復号可能であることを判定することをさらに備える、請求項６記載の方法。
【請求項８】
前記パラメータは、ＤＣＩフォーマット、アグリゲーション・レベル、リソース要素（ＲＥ）エネルギ比、または、これらの組み合わせのうちの１つ以上を備える、請求項２記載の装置。
【請求項９】
前記受信されたＰＤＣＣＨを伝送する信号を調整して、前記復号の困難さの違いを補償する手段をさらに備える、請求項２記載の装置。
【請求項１０】
前記調整された信号中のＰＤＣＣＨが復号可能であることを判定する手段をさらに備える、請求項９記載の装置。
【請求項１１】
前記パラメータは、ＤＣＩフォーマット、アグリゲーション・レベル、リソース要素（ＲＥ）エネルギ比、または、これらの組み合わせのうちの１つ以上を備える、請求項３記載の非一時的なコンピュータ読取可能な記録媒体。
【請求項１２】
前記パラメータは、ＤＣＩフォーマット、アグリゲーション・レベル、リソース要素（ＲＥ）エネルギ比、または、これらの組み合わせのうちの１つ以上を備える、請求項４記載の装置。
【請求項１３】
前記プロセッサによって、前記受信されたＰＤＣＣＨを伝送する信号を調整して、前記復号の困難さの違いを補償するように実行可能な命令群をさらに備える、請求項４記載の装置。
【請求項１４】
前記プロセッサによって、前記調整された信号中のＰＤＣＣＨが復号可能であることを判定するように実行可能な命令群をさらに備える、請求項１３記載の装置。
【請求項１５】
前記受信されたＰＤＣＣＨを伝送する信号を調整することは、前記受信されたＰＤＣＣＨを伝送する前記信号にノイズを加えて、前記復号の困難さの違いを補償することを備える、請求項６記載の方法。
【請求項１６】
前記受信されたＰＤＣＣＨを伝送する信号を調整する手段は、前記受信されたＰＤＣＣＨを伝送する前記信号にノイズを加えて、前記復号の困難さの違いを補償する手段を備える、請求項９記載の装置。
【請求項１７】
前記プロセッサによって、前記受信されたＰＤＣＣＨを伝送する信号を調整するために、前記受信されたＰＤＣＣＨを伝送する前記信号にノイズを加えて、前記復号の困難さの違いを補償するように実行可能な命令群をさらに備える、請求項１３記載の装置。
【発明の詳細な説明】
【関連出願に対する相互参照】
【０００１】
本願は、２０１０年４月１６日に出願された「ヘテロジニアスなネットワークのためのラジオ・リンク・モニタリング（ＲＬＭ）および基準信号受信電力（ＲＳＲＰ）測定」（RADIO LINK MONITORING (RLM) AND REFERENCE SIGNAL RECEIVED POWER (RSRP) MEASUREMENT FOR HETEROGENEOUS NETWORKS）と題された米国仮特許出願６１／３２５，１００号の利益を主張する。この開示は、全体が参照によって本明細書に明確に組み込まれている。
【技術分野】
【０００２】
本開示のある態様は、一般に、無線通信システムに関し、さらに詳しくは、増強された干渉調整および除去を用いたシステムにおけるラジオ・リンク失敗の判定に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
１つの態様では、リソース区分によって異なる干渉レベルに関連付けられた共通基準信号（ＣＲＳ）リソースを用いて、アドバンスト・ロング・ターム・イボリューション（ＬＴＥ−Ａ）ネットワークにおいて通信する方法が開示される。ラジオ・リンク・モニタリング（ＲＬＭ）および／または基準信号受信電力（ＲＳＲＰ）測定のため、ＣＲＳリソースのサブセットを示す信号が、ｅノードＢから受信される。ＣＲＳリソースのサブセットは、干渉元のｅノードＢからのより低い干渉を有することが予想されているＣＲＳリソースを含む。ＲＬＭおよび／またはＲＳＲＰ測定は、示されたサブセットに基づいて実行される。
【０００８】
別の態様では、アドバンスト・ロング・ターム・イボリューション（ＬＴＥ−Ａ）ネットワークにおいて通信する方法が開示される。ＬＴＥ−Ａネットワークのサブフレームで、物理ダウンリンク制御チャネル（ＰＤＣＣＨ）情報が受信される。ラジオ・リンク・モニタリング（ＲＬＭ）のために、受信されたＰＤＣＣＨのブロック誤り率（ＢＬＥＲ）が判定され、判定されたＢＬＥＲからラジオ・リンク品質が推定される。
【０００９】
別の態様は、ラジオ・リンク・モニタリング（ＲＬＭ）および／または基準信号受信電力（ＲＳＲＰ）測定のため、ＣＲＳリソースのサブセットを示す信号を、ｅノードＢから受信する手段を含む装置を開示する。ＣＲＳリソースのサブセットは、干渉元のｅノードＢからのより低い干渉を有することが予想されているＣＲＳリソースを含む。示されたサブセットに基づいて、ＲＬＭおよび／またはＲＳＲＰ測定を実行する手段もまた含まれる。
【００１０】
別の態様では、ＬＴＥ−Ａネットワークのサブフレームで物理ダウンリンク制御チャネル（ＰＤＣＣＨ）情報を受信する手段もまた含まれている。ラジオ・リンク・モニタリング（ＲＬＭ）のために、受信されたＰＤＣＣＨのブロック誤り率（ＢＬＥＲ）を判定する手段と、判定されたＢＬＥＲからラジオ・リンク品質を推定する手段ともまた含まれる。
【００１１】
別の態様では、無線ネットワークにおける無線通信のためのコンピュータ・プログラム製品が開示される。コンピュータ読取可能な媒体は、１または複数のプロセッサによって実行された場合に、１または複数のプロセッサに対して、ラジオ・リンク・モニタリング（ＲＬＭ）および基準信号受信電力（ＲＳＲＰ）測定のうちの少なくとも１つのため、ＣＲＳリソースのサブセットを示す信号を、ｅノードＢから受信する動作を実行させるための、記録されたプログラム・コードを有する。ＣＲＳリソースのサブセットは、干渉元のｅノードＢからのより低い干渉を有することが予想されているＣＲＳリソースを含む。プログラム・コードはまた、１または複数のプロセッサに対して、示されたサブセットに基づいて、ＲＬＭおよび／またはＲＳＲＰ測定を実行させる。
【００１２】
別の態様は、無線ネットワークにおける無線通信のためのコンピュータ・プログラム製品を開示する。コンピュータ読取可能な媒体は、１または複数のプロセッサによって実行された場合に、１または複数のプロセッサに対して、ＬＴＥ−Ａネットワークのサブフレームで物理ダウンリンク制御チャネル（ＰＤＣＣＨ）情報を受信することと、受信されたＰＤＣＣＨのブロック誤り率（ＢＬＥＲ）を判定することと、のための動作を実行させる、記録されたプログラム・コードを有する。プログラム・コードはさらに１または複数のプロセッサに対して、ラジオ・リンク・モニタリング（ＲＬＭ）のために、判定されたＢＬＥＲからラジオ・リンク品質を推定させる。
【００１３】
別の態様は、メモリと、メモリに接続された少なくとも１つのプロセッサとを有する、無線通信のための態様を開示する。プロセッサ（単数または複数）は、ラジオ・リンク・モニタリング（ＲＬＭ）と基準信号受信電力（ＲＳＲＰ）測定とのうちの少なくとも１つのため、ＣＲＳリソースのサブセットを示す信号を、ｅノードＢから受信するように構成される。ＣＲＳリソースのサブセットは、干渉元のｅノードＢからのより低い干渉を有することが予想されているＣＲＳリソースを含む。プロセッサはまた、示されたサブセットに基づいて、ＲＬＭおよび／またはＲＳＲＰ測定を実行するように構成される。
【００１４】
別の態様では、メモリと、メモリに接続された少なくとも１つのプロセッサとを有する、無線通信のための装置が開示される。プロセッサ（単数または複数）は、ＬＴＥ−Ａネットワークのサブフレームで、物理ダウンリンク制御チャネル（ＰＤＣＣＨ）情報を受信するように構成される。プロセッサはまた、ラジオ・リンク・モニタリング（ＲＬＭ）のために、受信されたＰＤＣＣＨのブロック誤り率（ＢＬＥＲ）を判定し、判定されたＢＬＥＲからラジオ・リンク品質を推定するように構成される。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信における典型的なフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがうヘテロジニアスなネットワークにおける適応リソース区分を概念的に例示するブロック図である。
【図６Ａ】図６Ａは、無線通信システムにおいてラジオ・リンク失敗を判定するための方法を例示するブロック図である。
【図６Ｂ】図６Ｂは、無線通信システムにおいてラジオ・リンク失敗を判定するための方法を例示するブロック図である。
【発明を実施するための形態】
【００１７】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ（登録商標））および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００２０】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２１】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２２】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２３】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２４】
無線ネットワーク１００は、ｅノードＢが、類似のフレーム・タイミングを有し、異なるｅノードＢからの送信が、時間的にほぼ揃えられうる、同期動作をサポートする。１つの態様では、無線ネットワーク１００は、周波数分割多重（ＦＤＤ）動作モードまたは時分割多重（ＴＤＤ）動作モードをサポートしうる。ここに記載された技術は、ＦＤＤ動作モードまたはＴＤＤ動作モードの何れかのために使用されうる。
【００２５】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２６】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２７】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，または２０ＭＨｚの対応するシステム帯域幅についてそれぞれ１，２，４，８，または１６のサブ帯域が存在しうる。
【００２８】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００２９】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３０】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３１】
ｅノードＢは、ｅノードＢによって使用されるシステム帯域幅の中央の１．０８ＭＨｚでＰＳＳ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３２】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３３】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３４】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３５】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００３６】
ＵＥは、ｅノードＢへ制御情報を送信するために、制御部分においてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３７】
ＰＳＳ、ＳＳＳ、ＣＲＳ、ＰＢＣＨ、ＰＵＣＣＨ、ＰＵＳＣＨ、および、ＬＴＥ／−Ａで使用されるその他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記述されている。
【００３８】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３９】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４０】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４１】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信される。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４２】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図５Ａ−５Ｂに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４３】
図５は、本開示の１つの態様にしたがうヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロトｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００４４】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受けた拡張境界エリア（ＥＢＡ）について低くなりうる。ＥＢＡ  ＵＥは、第１のｅノードＢに属するのみならず、第２のｅノードＢの有効通信範囲エリア内に配置されうる。例えば、フェムトｅノードＢ有効通信範囲の範囲限界近傍のマクロｅノードＢと通信するＵＥは、ＥＢＡ  ＵＥである。
【００４５】
ＬＴＥ／−Ａにおいて適用されうる別の干渉管理スキームの例は、緩慢な適応干渉管理である。干渉管理に対してこのアプローチを使用することによって、リソースは、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用されるすべての情報へのアクセスを有し、かつ、例えば、ネットワーク・コントローラ（図１）のようなすべての送信エンティティに対する制御を有する、中央エンティティによって計算されうる。この中央エンティティは、必ずしも現実的でも、また、望ましくもないかもしれない。したがって、代替態様では、ノードのあるセットからのチャネル情報に基づいて、リソース用途を決定する、分配されたアルゴリズムが使用されうる。したがって、緩慢な適応干渉アルゴリズムは、中央エンティティを用いて配置されるか、あるいは、ネットワーク内のノード／エンティティのさまざまなセットにわたってアルゴリズムを分配することによって配置されうる。
【００４６】
ＵＥは、１または複数の干渉元のｅノードＢからの高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、代わりに、低い受信電力を持つ（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。
【００４７】
ＵＥ１２０ｙは、接続モードで動作している場合、ＵＥ１２０ｙが例えばｅノードＢ１１０ｃと、許容できる接続を維持することをもはやできないという支配的な干渉シナリオにおいて、十分な干渉を受けうる。ＵＥ１２０ｙによる干渉の分析は、例えば、ｅノードＢ１１０ｃからダウンリンクで受信したＰＤＣＣＨの誤り率を計算することによって、信号品質を取得することを含む。あるいは、ＰＤＣＣＨの誤り率は、ＰＤＣＣＨの信号対雑音比（ＳＮＲ）に基づいて予測されうる。ＵＥ１２０ｙによって計算されるように、ＰＤＣＣＨの誤り率が、予め定義されたレベルに達した場合、ＵＥ１２０ｙは、ｅノードＢ１１０ｃに対してラジオ・リンク失敗（ＲＬＦ）を宣言し、接続を終了させるであろう。この時点において、ＵＥ１２０ｙは、ｅノードＢ１１０ｃに再接続することを試みうるか、恐らくは、より強い信号を持つ別のｅノードＢへ接続することを試みうる。
【００４８】
支配的な干渉シナリオはまた、範囲拡張によっても生じうる。ＵＥが、ＵＥによって検出されたすべてのｅノードＢの間で、低い経路喪失と低いＳＮＲ（信号対雑音比）を持つｅノードＢに接続した場合、範囲拡張が生じうる。例えば、図１では、ＵＥ１２０ｘは、マクロｅノードＢ１１０ｂとピコｅノードＢ１１０ｘとを検出しうる。さらに、ＵＥは、ｅノードＢ１１０ｘについて、ｅノードＢ１１０ｂよりも低い受信電力を有する。ｅノードＢ１１０ｘの経路喪失が、マクロｅノードＢ１１０ｂの経路喪失よりも低いのであれば、ＵＥ１２０ｘはピコｅノードＢ１１０ｘに接続しうる。この結果、ＵＥ１２０ｘにとって、所与のデータ・レートの場合、無線ネットワークへの干渉が低くなりうる。
【００４９】
範囲拡張対応の無線ネットワークでは、強化されたセル間干渉調整（ｅＩＣＩＣ）によって、ＵＥは、強いダウンリンク信号強度を持つマクロ基地局の存在下において、低い電力の基地局（例えば、ピコ基地局、フェムト基地局、リレー等）からサービスを取得することと、ＵＥが接続することを許可されていない基地局からの強い干渉信号の存在下において、マクロ基地局からサービスを取得することと、を可能とされうる。ｅＩＣＩＣは、リソースを調整するために使用されうる。これによって、干渉元の基地局は、いくつかのリソースを放棄できるようになり、ＵＥとサービス提供基地局との間の制御およびデータ送信をイネーブルできるようになる。ネットワークがｅＩＣＩＣをサポートする場合、基地局は、リソースの一部を放棄した干渉元のセルからの干渉を低減および／または除去するために、リソースの使用をネゴシエートおよび調整しうる。したがって、ＵＥは、干渉元のセルによって放棄されたリソースを用いることによって、厳しい干渉であっても、サービス提供セルにアクセスしうる。
【００５０】
例えば、メンバであるフェムトＵＥのみがセルにアクセスできるクローズド・アクセス・モードのフェムト・セルが、マクロ・セルの有効通信範囲領域内に存在する場合、マクロ・セル内の有効通信範囲の無効化が生じる。このフェムト・セルに、リソースのいくつかを放棄させることによって、フェムト・セル有効通信範囲領域内のＵＥは、フェムト・セルによって放棄されたリソースを用いることによって、サービス提供マクロ・セルにアクセスしうる。例えばＥ−ＵＴＲＡＮのように、ＯＦＤＭを用いたラジオ・アクセス・システムでは、これら放棄されたリソースは、時間ベースであるか、周波数ベースであるか、あるいは、これらの組み合わせでありうる。放棄されたリソースが時間ベースである場合、干渉元のセルは、アクセス可能なサブフレームのうちのいくつかを、時間領域において使用することを控える。これら放棄されたリソースが周波数ベースである場合、干渉元のセルは、周波数領域でアクセス可能なサブキャリアのうちのいくつかを使用しない。放棄されたリソースが、周波数と時間との両方の組み合わせである場合、干渉元のセルは、周波数および時間によって定義されるリソースを使用しない。
【００５１】
ｅＩＣＩＣをサポートするＵＥの場合、ラジオ・リンク失敗条件を分析するための既存の基準は、調整セルの条件に満足に対処できないことがありうる。一般に、ＵＥがラジオ・リンク失敗を宣言する場合、ＵＥは、この基地局との通信を切断し、新たな基地局を求めて探索する。リソースの一部を放棄する干渉元のセルによって、基地局間で干渉が調整される、厳しい干渉の領域にＵＥがある場合、信号対雑音比（ＳＮＲ）またはＰＤＣＣＨの復号誤り率のＵＥ測定は、測定されたリソースが干渉元のセルによって放棄されるか否かに依存して、相当変動しうる。干渉元のセルによって放棄されなかったリソースのＰＤＣＣＨの復号誤り率またはＳＮＲをＵＥが測定した場合、ＵＥは、干渉元のセルによって放棄されたリソースを用いて、サービス提供セルにアクセスしても、高い干渉によって、誤ってＲＬＦを宣言しうる。
【００５２】
ＬＴＥ−Ａネットワークでは、ヘテロジニアスなセルが存在することによって、いくつかのＣＲＳ（共通基準信号）シンボルおよび／またはトーンが破壊され、いくつかのＣＲＳシンボルおよび／またはトーンは、他のものよりも信頼性が低くなる。例えば、フェムト・セルとピコ・セルとが同一のチャネルに配置されるヘテロジニアスなネットワークでは、制御領域およびデータ領域におけるＣＲＳ（共通基準信号）は、異なる干渉を受けうる。それに加えて、ＰＢＣＨ（物理ブロードキャスト・チャネル）領域におけるＣＲＳは、他の領域におけるＣＲＳとは異なる干渉を受けうる。さらに、セルが誤って調整された場合、これらセル間のタイミング・オフセットが、異なるＣＲＳシンボルおよび／またはトーンに非一様に影響を与えうる。それに加えて、リレーのアクセス・リンクとバックホール・リンクとの間に存在するタイミング・オフセットは、別のＣＲＳシンボルに非一様に影響を与えうる。さらに、シンボルおよび／またはトーンが破壊される可能性は、ラジオ・リンク・モニタリング（ＲＬＭ）および基準信号受信電力（ＲＳＲＰ）測定に影響を与えうる。
【００５３】
本開示の１つの態様は、ラジオ・リンク・モニタリングおよび基準信号受信電力（ＲＳＲＰ）測定のために、１または複数の選択されたサブフレームにおけるＣＲＳトーンおよび／またはシンボルのサブセットを用いることに向けられる。別の態様は、ＰＤＣＣＨ（物理ダウンリンク制御チャネル）ブロック誤り率をモニタリングすることに向けられる。
【００５４】
ラジオ・リンク・モニタリング（ＲＬＭ）または基準信号受信電力（ＲＳＲＰ）測定に関して、ＵＥは、共通基準信号（ＣＲＳ）シンボルのサブセット、および／または、ＣＲＳシンボルのＣＲＳトーンを示す信号を、ＬＴＥ−ＡネットワークのｅＮｏｄｅＢ（ｅＮＢ）から受信しうる。ＣＲＳトーンおよび／またはシンボルは、ラジオ・リンク・モニタリング（ＲＬＭ）および／または基準信号受信電力（ＲＳＲＰ）測定中に使用されうる。ＣＲＳトーンおよび／またはＣＲＳシンボルのサブセットは、ＬＴＥ−ＡネットワークのｅノードＢから利用可能なＣＲＳトーンおよび／またはＣＲＳシンボルのすべてから選択されたＣＲＳトーンおよび／またはＣＲＳシンボルのグループである。ｅノードＢによって選択され、ＵＥへシグナルされるＣＲＳトーンおよび／またはＣＲＳシンボルは、例えば、（（例えば、図５で見られるような）周波数または時間の）リソース区分によって、ＬＴＥ−Ａネットワーク内の他のｅノードＢからの低い干渉を持つことが予想されている。
【００５５】
１つの態様では、ｅノードＢは、ラジオ・リンク・モニタリング（ＲＬＭ）およびＲＳＲＰ測定のために使用されるべきＣＲＳトーンを有するサブフレームをシグナルする。一例では、これらのＣＲＳトーンは、サービス提供セルと、干渉元のセルとが、サブフレーム・レベルにおけるリソースのネゴシエートおよび調整を行う場合に使用されうる。例えば、示されたサブフレームは、保護（Ｕ）サブフレームでありうる。これによって、ＵＥは、干渉無しで、または、少なくとも低減された干渉で、測定できるようになる。
【００５６】
別の態様では、ｅノードＢは、ＲＬＭおよびＲＳＲＰ測定のために使用されるべき（あるいは、使用されない）サブフレームのＣＲＳシンボルをシグナルする。一例では、これらのシンボルは、バックホール・リンクとアクセス・リンクとの間のタイミング・オフセットによって第１のサブフレームのシンボルがより高い干渉を受けるところで、リレーのために使用されうる。
【００５７】
別の態様によれば、ｅノードＢは、ＲＬＭおよびＲＳＲＰ測定のために使用されるべきＣＲＳトーンのリソース・ブロック（ＲＢ）をＵＥへシグナルする。ＣＲＳトーンのこれらのリソース・ブロックは、ｅノードＢが、周波数分割多重（ＦＤＭ）区分においてリソースを調整する場合に使用されうる。それに加えて、ｅノードＢは、ＰＢＣＨ領域における干渉を回避するために、ＣＲＳトーンおよび／またはＣＲＳシンボルを選択しうる。どのＣＲＳシンボル／トーンを使用するのかのシグナリングが、より高次のレイヤで生じうる。
【００５８】
ＵＥは、ＣＲＳトーンおよび／またはＣＲＳシンボルのサブセットを用いて、基準信号受信電力（ＲＳＲＰ）の測定および／またはラジオ・リンク・モニタリング（ＲＬＭ）を実行しうる。基準信号受信電力（ＲＳＲＰ）は、考慮された測定周波数帯域幅内でセル特有基準信号を伝送するリソース要素の電力寄与（  ラジオ・リンク・モニタリング中に、物理レイヤは、より高次のレイヤへ、非同期／同期ステータスを示しうる。ラジオ品質がしきい値Ｑｏｕｔよりも悪い場合、ＵＥは非同期である。ラジオ・リンク品質がしきい値Ｑｉｎよりも良好である場合、ＵＥは同期している。Ｑｏｕｔ値は、ダウンリンク・ラジオ・リンクが、高い信頼性では受信されないレベルである。Ｑｉｎ値は、ダウンリンク・ラジオ・リンクが品質、Ｑｏｕｔにおけるよりも著しく高い信頼性で受信されうるレベルである。一例では、Ｑｏｕｔ値は、ＰＣＦＩＣＨ（物理制御フォーマット・インジケータ・チャネル）誤りを考慮する仮説のＰＤＣＣＨ（物理ダウンリンク制御チャネル）送信の１０％ブロック誤り率（ＢＬＥＲ）に対応する。Ｑｉｎ値は、ＰＣＦＩＣＨ誤りを考慮する別の仮説のＰＤＣＣＨ送信の２％ＢＬＥＲに対応する。ＱｏｕｔおよびＱｉｎ評価のための仮説のＰＤＣＣＨは、ダウンリンク制御情報（ＤＣＩ）フォーマット、アグリゲーション・レベル、リソース要素（ＲＥ）エネルギ比等の観点から、仕様（３ＧＰＰ  ＴＳ  ３６．１３３）に明示的に定義されている。レイヤ３フィルタは、同期インジケーションおよび非同期インジケーションに適用され、Ｔ３１０タイマを起動または停止して、ラジオ・リンク失敗（ＲＬＦ）を宣言する。
【００５９】
一般に、ＵＥは、ＣＲＳトーン品質を測定する。そして、ＵＥは、仮説のＰＤＣＣＨのために定義されたパラメータを用い、測定されたＣＲＳトーン品質に基づいて、仮説のＰＤＣＣＨ送信のＢＬＥＲを予測する。
【００６０】
別の態様は、ラジオ・リンク・モニタリング（ＲＬＭ）のためにＣＲＳのみに依存しない、ＬＴＥ−Ａネットワークにおける通信を開示する。特に、実際のＰＤＣＣＨ（物理ダウンリンク制御チャネル）ブロック誤り率が、ＲＬＭのためにモニタされうる。一例において、ＵＥは、ある物理ダウンリンク制御チャネル（ＰＤＣＣＨ）を受信することを保証される。例えば、ＳＩＢ１、ＳＩＢｘのようなシステム情報ブロック（ＳＩＢ）およびページング・メッセージ等は、データ・トラフィックがない場合であっても受信される。ＵＥは、その後、受信したＰＤＣＣＨの復号統計を収集することによって、ＱｏｕｔおよびＱｉｎのＢＬＥＲを推論しうる。
【００６１】
一例では、ＵＥは、復号されたＰＤＣＣＨのＲＥ（リソース要素）エネルギ比、アグリゲーション・レベル、およびＤＣＩフォーマットが、Ｑｏｕｔ評価のために定義された仮説のＰＤＣＣＨのものに一致するかを判定する。これらが一致する場合、ＵＥは、ＰＤＣＣＨが、Ｑｏｕｔ評価目的のために正しく復号されたものと認識する。受信したＰＤＣＣＨのＲＥエネルギ比、アグリゲーション・レベル、およびＤＣＩフォーマットが、Ｑｉｎのために定義された仮説のＰＤＣＣＨのものに一致する場合、ＵＥは、ＰＤＣＣＨが、Ｑｉｎ評価目的のために正しく復号されたものと認識する。
【００６２】
ＰＤＣＣＨ送信が予想されるサブフレームにおいて、ＰＤＣＣＨが復号されない場合、ＵＥは、ＱｏｕｔおよびＱｉｎ評価目的のためにＰＤＣＣＨが正しく復号されていないと認識する。ＵＥは、その後、正しいおよび正しくない復号試行の回数をカウントすることによって、ＱｏｕｔおよびＱｉｎのＢＬＥＲを判定し、ＱｏｕｔとＱｉｎとのおのおのについて、正しい復号のインスタンスの割合を計算する。
【００６３】
ＵＥは、判定されたＢＬＥＲから、ラジオ・リンク品質を推定しうる。復号されたＰＤＣＣＨのＲＥエネルギ比、アグリゲーション・レベル、およびＤＣＩフォーマットの何れもが、ＱｏｕｔまたはＱｉｎ評価のために定義された仮説のＰＤＣＣＨのものに一致しないのであれば、ＵＥは、ＱｏｕｔおよびＱｉｎのための仮説のＰＤＣＣＨのＲＥエネルギ、アグリゲーション・レベル、およびＤＣＩフォーマットを使用した場合に、ＰＤＣＣＨが未だに正しく復号されうるであろうかを判定するために、復号されたＰＤＣＣＨのＲＥエネルギ、アグリゲーション・レベル、およびＤＣＩフォーマットを、ＱｏｕｔおよびＱｉｎのものと比較する。正しく復号されるのであれば、ＵＥは、ＰＤＣＣＨが、ＱｏｕｔまたはＱｉｎ評価目的のために正しく復号されたと認識する。そうではない場合、ＵＥは、ＰＤＣＣＨが、ＱｏｕｔまたはＱｉｎ評価目的のために正しく復号されていないと認識する。
【００６４】
例えば、ＵＥは、ＤＣＩフォーマット１Ｃを用いてＰＤＣＣＨを復号したかもしれない。ＤＣＩフォーマット１ＡはＱｏｕｔ評価に使用され、このフォーマット１Ａはフォーマット１Ｃよりも復号することがより困難であるので、ＵＥは、ＤＣＩフォーマット１Ａである場合、ＰＤＣＣＨを正しく復号していないかもしれない。１つの実施形態によれば、ＵＥは、ＰＤＣＣＨが未だに正しく復号するかをテストするために、ＵＥの復号能力に関して、２つのＤＣＩフォーマットにおける差に対応する量まで、ノイズを意図的に加えうる。テストに合格すると、ＵＥは、Ｑｏｕｔ評価目的のためにＰＤＣＣＨが正しく復号されたと認識する。テストに合格しなかった場合、ＵＥは、Ｑｏｕｔ評価目的のためにＰＤＣＣＨが復号されなかったと認識する。別の例について、ＵＥは、ＤＣＩフォーマット１Ａを用いてＰＤＣＣＨを復号したかもしれない。ＤＣＩフォーマット１ＣがＱｉｎ評価に使用され、このフォーマット１Ｃは、フォーマット１Ａよりも復号がより容易であるので、ＵＥは、ＤＣＩフォーマット１Ｃである場合、ＰＤＣＣＨを正しく復号したであろうと安全に仮定しうる。したがって、ＵＥは、ＰＤＣＣＨがＱｉｎ評価目的のために正しく復号されたと認識する。
【００６５】
別の例では、ＵＥは、アグリゲーション・レベル８を用いてＰＤＣＣＨを復号したかもしれない。より小さなアグリゲーション・レベルを持つＰＤＣＣＨは、復号することがより困難であり、アグリゲーション・レベル４がＱｉｎ評価のために使用されるので、ＵＥは、アグリゲーション・レベルにおける差を補償するためにノイズを加え、ＰＤＣＣＨが未だに正しく復号するかをテストし、Ｑｉｎ評価に対する合格／不合格結果をカウントしうる。さらに別の例では、ＵＥは、ＱｏｕｔおよびＱｉｎ評価のために指定されたものよりも大きなＲＥエネルギ比を用いて復号しうる。その後、ＵＥは、これら２つのＲＥエネルギ比における差を補償するためにノイズを加え、ＵＥが未だにＰＤＣＣＨを復号するかをテストしうる。１つの態様によれば、ＲＥエネルギ比は、受信されたＰＤＣＣＨ  ＲＥのエネルギを測定すること、および、それを、受信されたＣＲＳ  ＲＥのエネルギと比較すること、によって推定される。
【００６６】
別の例では、ＵＥは、ＱｏｕｔおよびＱｉｎ評価のために指定されたものとは異なるＲＥエネルギ比、アグリゲーション・レベル、およびＤＣＩフォーマットを用いてＰＤＣＣＨを復号しうる。ＵＥは、どのＰＤＣＣＨが復号がより困難であるかを判定するために、２つのＤＣＩフォーマット、アグリゲーション・レベル、およびＲＥエネルギ比を比較する。ＵＥは、仮説のＰＤＣＣＨがより復号が困難であると判定すると、これら２つのＰＤＣＣＨの復号能力における差に対応するノイズを加え、受信したＰＤＣＣＨをＵＥが未だに復号しうるかを判定し、ＱｏｕｔおよびＱｉｎ評価に対する合格／不合格結果をカウントする。一方、ＵＥは、仮説のＰＤＣＣＨが復号がより容易であると判定すると、ＱｏｕｔおよびＱｉｎ評価のためにＰＤＣＣＨが正しく復号されたと認識する。
【００６７】
ＵＥは、その後、正しいおよび正しくない復号インスタンスの数をカウントすることによって、ＱｏｕｔおよびＱｉｎのＢＬＥＲを判定し、ＱｏｕｔとＱｉｎとのおのおのについて、正しい復号のインスタンスの割合を計算する。ＵＥは、その後、判定されたＢＬＥＲから、ラジオ・リンク品質を推定する。その後、推定されたラジオ・リンク品質に基づいて、ラジオ・リンク失敗が宣言されうる。
【００６８】
図４および図６Ａ−６Ｂにおける機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００６９】
図６Ａは、方法６０１を例示する。ブロック６１０では、ＲＬＭ（ラジオ・リンク・モニタリング）および／またはＲＳＲＰ（基準信号受信電力）測定のためのＣＲＳリソースのサブセットを示す信号が、ｅノードＢから受信される。ブロック６１２では、このサブセットにおいて、ＲＬＭおよび／またはＲＳＲＰ測定が実行される。
【００７０】
図６Ｂは、方法６０２を例示する。ブロック６２０では、ＰＤＣＣＨ（物理ダウンリンク制御情報）情報が、ＬＴＥ−Ａネットワークのサブフレームで受信される。ブロック６２２では、受信されたＰＤＣＣＨのブロック誤り率（ＢＬＥＲ）が判定される。ブロック６２４では、ラジオ・リンク・モニタリングのために、判定されたＢＬＥＲからラジオ・リンク品質が推定される。
【００７１】
１つの構成では、受信する手段を含むＵＥ１２０が、無線通信のために構成される。１つの態様では、受信する手段は、受信する手段によって詳述された機能を実行するように構成された受信プロセッサ４５８、ＭＩＭＯ検出器４５６、復調器４５４ａ−４５４ｒ、コントローラ／プロセッサ４８０、およびアンテナ４５２ａ４５２ｔでありうる。ＵＥ１２０はまた、実行する手段をも含むように構成される。１つの態様では、実行する手段は、実行する手段によって詳述された機能を実行するように構成されたコントローラ／プロセッサ４８０およびメモリ４８２でありうる。別の態様では、前述した手段は、前述した手段によって記述された機能を実行するように構成されたモジュールまたは任意の装置でありうる。
【００７２】
別の構成では、ＵＥ１２０はまた、受信する手段をも含むように構成される。１つの態様では、受信する手段は、受信する手段によって詳述された機能を実行するように構成された受信プロセッサ４５８、ＭＩＭＯ検出器４５６、復調器４５４ａ−４５４ｔ、コントローラ／プロセッサ４８０、およびアンテナ４５２ａ−４５２ｔでありうる。ＵＥ１２０はまた、判定する手段をも含むように構成される。１つの態様では、判定する手段は、判定する手段によって詳述された機能を実行するように構成されたコントローラ／プロセッサ４８０およびメモリ４８２でありうる。ＵＥ１２０はまた、推定する手段をも含むように構成される。１つの態様では、推定する手段は、推定する手段によって詳述された機能を実行するように構成されたコントローラ／プロセッサ４８０およびメモリ４８２でありうる。別の態様では、前述した手段は、前述した手段によって記述された機能を実行するように構成されたモジュールまたは任意の装置でありうる。
【００７３】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７４】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。
【００７５】
汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７６】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７７】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７８】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］
リソース区分によって異なる干渉レベルに関連付けられた共通基準信号（ＣＲＳ）リソースを用いて、アドバンスト・ロング・ターム・イボリューション（ＬＴＥ−Ａ）ネットワークにおいて通信するための方法であって、
ラジオ・リンク・モニタリング（ＲＬＭ）および基準信号受信電力（ＲＳＲＰ）測定のうちの少なくとも１つのため、ＣＲＳリソースのサブセットを示す信号を、ｅノードＢから受信することと、ここで、前記サブセットは、干渉元のｅノードＢからのより低い干渉を有することが予想されているＣＲＳリソースを備える、
前記示されたサブセット基づいて、ＲＬＭおよびＲＳＲＰ測定のうちの少なくとも１つを実行することと、
を備える方法。
［Ｃ２］
前記ＣＲＳリソースは、ＣＲＳトーン、ＣＲＳリソース・ブロック、およびＣＲＳシンボルのうちの１つを備える、Ｃ１に記載の方法。
［Ｃ３］
アドバンスト・ロング・ターム・イボリューション（ＬＴＥ−Ａ）ネットワークにおいて通信するための方法であって、
前記ＬＴＥ−Ａネットワークのサブフレームで、物理ダウンリンク制御チャネル（ＰＤＣＣＨ）情報を受信することと、
前記受信されたＰＤＣＣＨのブロック誤り率（ＢＬＥＲ）を判定することと、
ラジオ・リンク・モニタリングのために、前記判定されたＢＬＥＲから、ラジオ・リンク品質を推定することと、
を備える方法。
［Ｃ４］
前記ブロック誤り率を判定することは、前記ラジオ・リンク品質を推定する前に、前記受信されたＰＤＣＣＨのブロック誤り率を、第１のリソース要素（ＲＥ）エネルギ比、第１のアグリゲーション・レベル、および第１のＤＣＩフォーマットの少なくとも１つを、第２のリソース要素（ＲＥ）エネルギ比、第２のアグリゲーション・レベル、および第２のＤＣＩフォーマットの少なくとも１つへ変換することによって、仮説のＰＤＣＣＨの仮説のブロック誤り率を判定することを備える、Ｃ３に記載の方法。
［Ｃ５］
無線通信のための装置であって、
ラジオ・リンク・モニタリング（ＲＬＭ）および基準信号受信電力（ＲＳＲＰ）測定のうちの少なくとも１つのため、ＣＲＳリソースのサブセットを示す信号を、ｅノードＢから受信する手段と、ここで、前記サブセットは、干渉元のｅノードＢからのより低い干渉を有することが予想されているＣＲＳリソースを備える、
前記示されたサブセット基づいて、ＲＬＭおよびＲＳＲＰ測定のうちの少なくとも１つを実行する手段と、
を備える装置。
［Ｃ６］
前記ＣＲＳリソースは、ＣＲＳトーン、ＣＲＳリソース・ブロック、およびＣＲＳシンボルのうちの１つを備える、Ｃ５に記載の装置。
［Ｃ７］
無線通信のための装置であって、
ＬＴＥ−Ａネットワークのサブフレームで物理ダウンリンク制御チャネル（ＰＤＣＣＨ）情報を受信する手段と、
前記受信されたＰＤＣＣＨのブロック誤り率（ＢＬＥＲ）を判定する手段と、
ラジオ・リンク・モニタリングのために、前記判定されたＢＬＥＲから、ラジオ・リンク品質を推定する手段と、
を備える装置。
［Ｃ８］
前記ブロック誤り率を判定する手段は、前記ラジオ・リンク品質を推定する前に、前記受信されたＰＤＣＣＨのブロック誤り率を、第１のリソース要素（ＲＥ）エネルギ比、第１のアグリゲーション・レベル、および第１のＤＣＩフォーマットの少なくとも１つを、第２のリソース要素（ＲＥ）エネルギ比、第２のアグリゲーション・レベル、および第２のＤＣＩフォーマットの少なくとも１つへ変換することによって、仮説のＰＤＣＣＨの仮説のブロック誤り率を判定する手段を備える、Ｃ７に記載の装置。
［Ｃ９］
無線ネットワークにおける無線通信のためのコンピュータ・プログラム製品であって、
記録された非一時的なプログラム・コードを有するコンピュータ読取可能な媒体を備え、前記プログラム・コードは、
ラジオ・リンク・モニタリング（ＲＬＭ）および基準信号受信電力（ＲＳＲＰ）測定のうちの少なくとも１つのため、ＣＲＳリソースのサブセットを示す信号を、ｅノードＢから受信するためのプログラム・コードと、ここで、前記サブセットは、干渉元のｅノードＢからのより低い干渉を有することが予想されているＣＲＳリソースを備える、
前記示されたサブセット基づいて、ＲＬＭおよびＲＳＲＰ測定のうちの少なくとも１つを実行するためのプログラム・コードと
を備える、コンピュータ・プログラム製品
［Ｃ１０］
前記ＣＲＳリソースは、ＣＲＳトーン、ＣＲＳリソース・ブロック、およびＣＲＳシンボルのうちの１つを備える、Ｃ９に記載のコンピュータ・プログラム製品。
［Ｃ１１］
無線ネットワークにおける無線通信のためのコンピュータ・プログラム製品であって、
記録された非一時的なプログラム・コードを有するコンピュータ読取可能な媒体を備え、前記プログラム・コードは、
ＬＴＥ−Ａネットワークのサブフレームで物理ダウンリンク制御チャネル（ＰＤＣＣＨ）情報を受信するためのプログラム・コードと、
前記受信されたＰＤＣＣＨのブロック誤り率（ＢＬＥＲ）を判定するためのプログラム・コードと、
ラジオ・リンク・モニタリングのために、前記判定されたＢＬＥＲから、ラジオ・リンク品質を推定するためのプログラム・コードと
を備える、コンピュータ・プログラム製品。
［Ｃ１２］
前記ブロック誤り率を判定するためのプログラム・コードは、前記ラジオ・リンク品質を推定する前に、前記受信されたＰＤＣＣＨのブロック誤り率を、第１のリソース要素（ＲＥ）エネルギ比、第１のアグリゲーション・レベル、および第１のＤＣＩフォーマットの少なくとも１つを、第２のリソース要素（ＲＥ）エネルギ比、第２のアグリゲーション・レベル、および第２のＤＣＩフォーマットの少なくとも１つへ変換することによって、仮説のＰＤＣＣＨの仮説のブロック誤り率を判定するためのプログラム・コードを備える、Ｃ１１に記載のコンピュータ・プログラム製品。
［Ｃ１３］
無線通信のための装置であって、
メモリと、
前記メモリに接続された少なくとも１つのプロセッサとを備え、
前記少なくとも１つのプロセッサは、
ラジオ・リンク・モニタリング（ＲＬＭ）および基準信号受信電力（ＲＳＲＰ）測定のうちの少なくとも１つのため、ＣＲＳリソースのサブセットを示す信号を、ｅノードＢから受信し、ここで、前記サブセットは、干渉元のｅノードＢからのより低い干渉を有することが予想されているＣＲＳリソースを備える、
前記示されたサブセット基づいて、ＲＬＭおよびＲＳＲＰ測定のうちの少なくとも１つを実行する
ように構成された、装置。
［Ｃ１４］
前記ＣＲＳリソースは、ＣＲＳトーン、ＣＲＳリソース・ブロック、およびＣＲＳシンボルのうちの１つを備える、Ｃ１３に記載の装置。
［Ｃ１５］
無線通信のための装置であって、
メモリと、
前記メモリに接続された少なくとも１つのプロセッサとを備え、
前記少なくとも１つのプロセッサは、
ＬＴＥ−Ａネットワークのサブフレームで物理ダウンリンク制御チャネル（ＰＤＣＣＨ）情報を受信し、
前記受信されたＰＤＣＣＨのブロック誤り率（ＢＬＥＲ）を判定し、
ラジオ・リンク・モニタリングのために、前記判定されたＢＬＥＲから、ラジオ・リンク品質を推定する
ように構成された、装置。
［Ｃ１６］
前記ブロック誤り率を判定するように構成されたプロセッサはさらに、前記ラジオ・リンク品質を推定する前に、前記受信されたＰＤＣＣＨのブロック誤り率を、第１のリソース要素（ＲＥ）エネルギ比、第１のアグリゲーション・レベル、および第１のＤＣＩフォーマットの少なくとも１つを、第２のリソース要素（ＲＥ）エネルギ比、第２のアグリゲーション・レベル、および第２のＤＣＩフォーマットの少なくとも１つへ変換することによって、仮説のＰＤＣＣＨの仮説のブロック誤り率を判定するためのプログラム・コードを備える、Ｃ１５に記載の装置。
【図１】
0006030190.tif 000002
【図２】
0006030190.tif 000003
【図３】
0006030190.tif 000004
【図４】
0006030190.tif 000005
【図５】
0006030190.tif 000006
【図６Ａ】
0006030190.tif 000007
【図６Ｂ】
0006030190.tif 000008